(57)【要約】【課題】容器ガイドへの洗浄ノズルの位置合わせを効率的に行うための位置合わせ具を提供する。【解決手段】位置合わせ具１００は、容器ガイド２０の開口部の内側に適合する形状を有する適合部分１１０と、適合部分１１０から延びた位置決め部１２０とを有する。位置決め部１２０は、適合部分１１０が容器ガイド２０の開口部に嵌め込まれた状態で該開口部から洗浄ノズル５０の方向に突出する。【選択図】図２
2005254074.tif 000002
【特許請求の範囲】
【請求項１】
容器を洗浄する洗浄機における洗浄ノズルと容器ガイドとを位置合わせするために使用される位置合わせ具であって、
前記容器ガイドの開口部の内側に適合する形状を有する適合部分と、
前記適合部分から延びた位置決め部と、
を有し、前記位置決め部は、前記適合部分が前記開口部に嵌め込まれた状態で前記開口部から前記洗浄ノズルの方向に突出する構造を有することを特徴とする位置合わせ具。
【請求項２】
前記位置決め部は、円筒形状部分を有し、前記洗浄ノズルが前記容器ガイドに位置合わせされたときに前記洗浄ノズルに前記円筒形状部分が被さるように落下して、位置合わせが完了したことを示すことを特徴とする請求項１に記載の位置合わせ具。
【発明の詳細な説明】
【技術分野】
【０００１】
本発明は、容器を洗浄する洗浄機における洗浄ノズルと容器ガイドとを位置合わせするために使用される位置合わせ具に関する。
【背景技術】
【０００２】
ビール、発泡酒、清涼飲料等の飲料製品を充填する瓶等の容器をその充填に先立って洗浄する洗浄機がある。図１は、洗浄機の洗浄ノズル周辺を模式的に示す図である。洗浄対象の容器１０は、バスケット３０に収容されて搬送されてきて口部を下方に向けて容器ガイド２０によってセンタリングされる。容器ガイド２０は、容器１０の口部に対応する位置（中央部）に開口部を有する。
【０００３】
容器ガイド２０によってセンタリングされる容器１０の下方には、上方に向けて洗浄液を噴射する洗浄ノズル５０が配置されている。洗浄ノズル５０は、洗浄液を移送する送液管４０の上部に設けられている。送液管４０は、台座６０に固定されている。台座６０は、ボルト８０等の固定部によって洗浄ステージ７０に固定されている。
【０００４】
容器１０の洗浄時は、洗浄ステージ７０は、所定時間の間、容器ガイド２０及びバスケット２０と同期して第１位置から第２位置に移動する。これにより、所定時間の間、洗浄ノズル５０から噴射される洗浄液が容器１０内に供給され、容器１０内が洗浄される。容器１０の洗浄が終了すると、洗浄ステージ７０は、再び第１位置に戻り、その後、次の容器１０を洗浄するために、再び第１位置から第２位置に移動する。
【０００５】
ここで、容器ガイド２０によってセンタリングされている容器１０に洗浄ノズル５０が位置合わせされるためには、洗浄ノズル５０が容器ガイド２０に位置合わせされている必要がある。
【発明の開示】
【発明が解決しようとする課題】
【０００６】
洗浄機、特に洗浄ノズル５０又はその周辺部を清掃、修理等する際に洗浄ノズル５０や台座６０が取り外される場合がある。そうすると、それを元に戻すために洗浄ノズル５０を容器ガイド２０に対して位置合わせする必要がある。
【０００７】
従来は、ボルト８０を緩めた状態でバスケット３０の上方から作業者が容器ガイド２０と洗浄ノズル５０との位置関係を見ながら台座６０の位置を調整することにより容器ガイド２０に洗浄ノズル５０を位置合わせしていた。しかしながら、この作業を一人の作業者が行う場合には、バスケット３０の上方の位置と台座６０を移動させるための作業位置とを往復することになる。また、この作業を二人の作業者が行う場合は、バスケット３０の上方から確認する作業者が台座６０を移動させる作業者に対して適切に指示を出す必要があるが、その指示が適切に伝わる保証はなく、位置合わせのために長時間を要することが少なくない。
【０００８】
また、バスケット３０の上方からの確認ができない構造の洗浄機においては、作業者は、例えば洗浄ノズル５０を横方向から見ながらその位置の調整を行う必要がある。この場合、横方向についての洗浄ノズル５０の位置確認は比較的容易であるが、奥行き方向についての洗浄ノズル５０の位置確認は極めて難しい。
【０００９】
本発明は、上記の課題認識に基づいてなされたものであり、例えば、容器ガイドへの洗浄ノズルの位置合わせを効率的に行うための位置合わせ具を提供することを目的とする。
【課題を解決するための手段】
【００１０】
本発明の位置合わせ具は、容器を洗浄する洗浄機における洗浄ノズルと容器ガイドとを位置合わせするために使用される位置合わせ具として構成される。前記位置合わせ具は、前記容器ガイドの開口部の内側に適合する形状を有する適合部分と、前記適合部分から延びた位置決め部とを有し、前記位置決め部は、前記適合部分が前記開口部に嵌め込まれた状態で前記開口部から前記洗浄ノズルの方向に突出する構造を有する。
【００１１】
本発明の好適な実施形態によれば、前記位置決め部は、円筒形状部分を有し、前記洗浄ノズルが前記容器ガイドに位置合わせされたときに前記洗浄ノズルに前記円筒形状部分が被さるように落下して、位置合わせが完了したことを示す。
【発明の効果】
【００１２】
本発明の位置合わせ具によれば、例えば、容器ガイドへの洗浄ノズルの位置合わせを効率的に行うことができる。
【発明を実施するための最良の形態】
【００１３】
以下、添付図面を参照しながら本発明の好適な実施形態を説明する。
【００１４】
図２及び図３は、本発明の好適な実施形態の位置合わせ具１００の構成及びそれを用いた位置合わせ方法を示す図である。位置合わせ具１００は、容器１０を洗浄する洗浄機における洗浄ノズル５０と容器ガイド２０とを位置合わせするために使用される。
【００１５】
位置合わせ具１００は、容器ガイド２０の開口部（典型的には円形）の内側に適合する形状（典型的には、開口部と相似でその寸法よりも若干小さい寸法）を有する適合部分１１０と、適合部分１１０から下方（洗浄ノズル５０の方向）に延びた位置決め部１２０と、位置合わせ具１００が容器ガイド２０の開口部を通って抜け落ちることを防止する落下防止部１３０とを備えている。ここで、位置合わせ具１００は、一体的に成形されていてもよいし、複数の部材を結合して形成されていてもよい。位置決め部１２０は、適合部分１１０が容器ガイド２０の開口部に嵌め込まれた状態で該開口部から洗浄ノズル５０の方向に突出するように構成されている。
【００１６】
位置決め部１２０は、円筒形状部分を有することが好ましく、このような構成によれば、洗浄ノズル５０が容器ガイド２０に位置合わせされたときに、位置決め部１２０（典型的には位置合わせ具１００の全体）が洗浄ノズル５０に被されるように落下し、位置合わせが完了したことが作業者に示される。
【００１７】
容器ガイド２０への洗浄ノズル５０の位置合わせは、ボルト８０を緩めた状態で台座６０の位置を調整することによりなされうる。まず、図２に示すように、位置合わせ具１００をその適合部分１１０が容器ガイド２０の開口部に挿入されるように容器ガイド２０にその上方から配置する。図２に示す状態では、位置決め部１２０が洗浄ノズル５０の上端の上に載っている状態であり、容器ガイド２０に対する洗浄ノズル５０の位置合わせが完了していない。
【００１８】
容器ガイド２０に洗浄ノズル５０を位置合わせするためには、位置決め部１２０の中心に洗浄ノズル５０の中心が一致するように台座６０を移動させる必要がある。この作業は、位置決め部１２０と洗浄ノズル５０との位置関係を見ながら行うことができるので、離隔した容器ガイド２０と洗浄ノズル５０との位置関係を見ながら行う方法に比べて容易である。
【００１９】
位置決め部１２０が洗浄ノズル５０の外側寸法（外径）よりも大きい内側寸法（内径）をもった円筒形状部を有する構成によれば、位置決め部１２０の中心に洗浄ノズル５０の中心が一致した時点で位置決め部１２０（典型的には位置合わせ具１００の全体）が洗浄ノズル５０に被さるように落下するので、作業者は、位置合わせが完了したことを容易に認識することができる。
【００２０】
このようにして位置合わせが完了したら台座６０をボルト８０によって洗浄ステージ７０に固定し一連の作業が完了する。
【図面の簡単な説明】
【００２１】
【図１】洗浄機の洗浄ノズル周辺を模式的に示す図である。
【図２】本発明の好適な実施形態の位置合わせ具の構成及びそれを用いた位置合わせ方法（位置合わせが完了していない状態）を示す図である。
【図３】本発明の好適な実施形態の位置合わせ具の構成及びそれを用いた位置合わせ方法（位置合わせが完了した状態）を示す図である。
【符号の説明】
【００２２】
１０  容器
２０  容器ガイド
３０  バスケット
４０  送液管
５０  洗浄ノズル
６０  台座
７０  洗浄ステージ
８０  ボルト
１００  位置合わせ具
１１０  適合部分
１２０  位置決め部
１３０  落下防止部
【図１】
2005254074.tif 000003
【図２】
2005254074.tif 000004
【図３】
2005254074.tif 000005